(57)【要約】【課題】継ぎ手とワンタッチソケットとを簡単に結合させて組み合わせられるワンタッチソケットの構造を提供する。【解決手段】継ぎ手３０及びワンタッチソケット４０で形成される。継ぎ手の一端には、ジョイント部分４２が挿入される収納槽３２がある。ジョイント部分には３本の環状槽があり、外側の環状槽４３には漏れを防ぐワッシャー５０がはめられ、中間の環状槽４４にはボール６０が環状にはめ込まれ、内側の環状槽４５には防塵キャップ７０がはめられる。収納槽は径のサイズ及び形態が２段式であり、広い径の部分３４が狭い径の部分３３につながる部分は導入カーブ面３５である。広い径の部分の壁には、薄いカバー片３６が形成される。【選択図】図３
0003129021.tif 000002
【実用新案登録請求の範囲】
【請求項１】
継ぎ手及びワンタッチソケットが組み合わせられ、継ぎ手の一端にはねじ部分があってパイプが接続され、もう一方の端には、ワンタッチソケットのジョイント部分が挿入され組み合わされる収納槽があり、前記ワンタッチソケットのもう一方の端は工具の形式に合った差し込み部分であり、
前記ジョイント部分には３本の環状槽があり、外側の環状槽には漏れを防止するワッシャーがはめられ、中間の環状槽にはボールが環状にはめ込まれ、内側の環状槽には防塵キャップがはめられ、
前記継ぎ手の収納槽は、ワンタッチソケットのジョイント部分に漏れを防止するワッシャー及びボールをはめ込むために、２段階の径を有し、径の大きな部分と径の小さな部分とがつながる部分には導入カーブ面が設けられ、前記径の大きな部分の壁の厚みは、薄いカバー片で形成され、ワンタッチソケットのジョイント部分が継ぎ手の収納槽にはめ込まれた後、継ぎ手の薄いカバー片はプレスによりワンタッチソケットのジョイント部分にはめ込まれたボールを覆う形で固定され、薄いカバー片の外縁は防塵キャップで覆われ、継ぎ手とワンタッチソケットとの隙間が密封され、ちりや水の侵入が防止されることを特徴とするワンタッチソケットの構造。
【請求項２】
ジョイント部分にある環状槽にはめ込まれたボールの外縁には、磨耗に強いワッシャーがはめられ、ボールが固定され、磨耗が防止されることを特徴とする請求項１に記載のワンタッチソケットの構造。
【請求項３】
ワンタッチソケットのジョイント部分の外側の環状槽に設けられているワッシャーは、Ｖ字型のワッシャーであり、前記Ｖ字型のワッシャーのＶ字口の方向は継ぎ手の収納槽の内側に向いており、漏れを防止可能であることを特徴とする請求項１に記載のワンタッチソケットの構造。
【考案の詳細な説明】
【技術分野】
【０００１】
本考案は、ワンタッチソケットの構造に関し、継ぎ手とワンタッチソケットの結合のために設計されたものである。ワンタッチソケットの収納槽があることと、槽の口が薄いカバー片になっていることにより、継ぎ手を簡単に押し込むだけで継ぎ手とワンタッチソケットとが接続できる。このため、従来の同様のタイプの製品のような複雑な組立作業により発生する多くの問題や欠点を解決するので、産業上の利用価値及び実用性が高い。
【背景技術】
【０００２】
従来のワンタッチソケットの構造は、図１、図２に示すとおりである。従来のワンタッチソケットは、ストレート継ぎ手１０及びワンタッチソケットを組み合わせて形成される。ストレート継ぎ手１０の一端は、ワンタッチソケット２０のジョイント部分２１を挿入して組み合わせることができる収納槽１１になっている。その収納槽１１の内径の決まった位置には、くぼんだはめ込み槽１２がある。ワンタッチソケット２０のジョイント部分２１内側の、外側の端にはそれぞれ環状槽２２、２３があって、それぞれＯリング２４、２５にはめ込まれる。また、２つのＯリング２４、２５の間の中ほどには、環状はめ込み槽２６がある。この環状はめ込み槽２６にはボール受け２７が設置されていて、ボール受け２７の槽内にはボール２８があって、ワンタッチソケット２０のジョイント部分２１がストレート継ぎ手１０の収納槽１１に挿入された時に、その中ほどにあるボール２９がちょうど収納槽１１のはめ込み槽１２内にあることと、Ｏリング２４、２５とにより、両者間を密に固定する。このようにしてワンタッチソケットの構造が形成される。このボール２８が設置されていることは、ワンタッチソケット２０が自由に回転できるという作用をもたらす。これは、作業の際に操作がしやすいという効果がある。
【考案の開示】
【考案が解決しようとする課題】
【０００３】
前述のタイプのワンタッチソケットの構造では、ボール受けを利用してボールを収納するという方法により、ボールが適度に余裕のある圧縮度を持ち、ワンタッチソケットのジョイント部分がスムーズにストレート継ぎ手のはめ込み槽に挿入でき、ボールとストレート継ぎ手のはめ込み槽がしっかりとはまり込んで、固定されることで、良好なはめ込み状態が維持できる。同時に、ワンタッチソケットが自由に回転できるという効果もある。しかしながら、ワンタッチソケットが回転する時、そのボールが直接ストレート継ぎ手のはめ込み槽内壁を摩擦し、長い時間が経過すると、必然的にボールが磨耗して、そのストレート継ぎ手の収納槽に隙間ができる。さらに、ボール受け自身にも回転しやすいように空間に余裕が持たせてあるため、外的な力が加わった時ワンタッチソケットがストレート継ぎ手から脱落するという問題が発生する可能性がある。
【０００４】
さらに、ストレート継ぎ手とワンタッチソケットの組み合わせ関係を維持するため、ストレート継ぎ手の収納槽内壁に設けたはめ込み槽によって、ワンタッチソケットのジョイント部分のボールがはめられ固定される。さらに、これらのボールはまたボール受けによって組み立ての際のパーツとなっている。しかしながら、このことはコストの増加をもたらし、同時に、これらのストレート継ぎ手の収納槽の内径にはめ込み槽を加工する際の難度を高くしているため、無意識の内に全体的なコストを上げることになる。
【０００５】
前述の従来のワンタッチソケットの組み合わせ構造がもつ多くの問題及び欠点を鑑み、それを解決するべく、本考案のワンタッチソケットを提出するものである。本考案の主な目的は、組み合わせ構造の設計によって、継ぎ手とワンタッチソケットとを結合させて組み合わせる際、簡単に行えるようにすることである。
【０００６】
本考案のもうひとつの目的は、組み合わせ構造の設計によって、そのワンタッチソケットのジョイント部分が継ぎ手から脱落することがないようにすることである。
本考案のさらなるもうひとつの目的は、組み合わせ構造の設計によって、そのワンタッチソケットと継ぎ手の挿入関係において、適切な防塵機能を持たせて、ちりが入り込むことによってその回転のスムーズ性を妨げないようにすることである。
【課題を解決するための手段】
【０００７】
前述の目的を達成するために、本考案はその構造設計において、継ぎ手の一端にワンタッチソケットのジョイント部分をはめ込むための収納槽を設けてある。そのワンタッチソケットのジョイント部分には、３本の環状槽があって、そのうち、外側の環状槽にはＶ字型の漏れを防ぐワッシャーをはめ込むようになっている。中間の環状槽にはボールをはめ込むようになっていて、さらに、防塵キャップがはまるようになっている。また、その継ぎ手の収納槽は、ワンタッチソケットのジョイント部分にＶ字型の漏れを防ぐワッシャー及びボールをはめ込むために、径のサイズ及び形態に、２段式の槽の径を持つように設計されている。さらに、その広い径の部分が狭い径の部分につながる部分には導入カーブ面があって、同時に、広い径の部分の壁の厚みに関しては、薄くなった薄いカバー片を形成している。ワンタッチソケットのジョイント部分が継ぎ手の収納槽にはめ込まれた後、さらに、機械で継ぎ手の薄いカバー片をプレスし、ワンタッチソケットのジョイント部分にはめ込まれたボールを覆う形で固定する。最後に、防塵キャップで薄いカバー片の外縁を覆えば、本考案のワンタッチソケット構造の組み立て結合が完了する。
【考案を実施するための最良の形態】
【０００８】
まず、図３、図４、図５を参照する。本考案の実施例は、継ぎ手３０及びワンタッチソケット４０が組み合わさって形成される。そのうち、継ぎ手３０の一端には、ねじ部分３１があってパイプと接続するようになっている。もう一方の端には、ワンタッチソケット４０のジョイント部分４２を挿入して組み合わせるようになった収納槽３２がある。このワンタッチソケット４０のもう一方の端は、工具の形式に合った差し込み部分４１で、そのジョイント部分４２には３本の環状槽４３、４４、４５があって、そのうち、外側の環状槽４３には別に製造されたＶ字型の漏れを防ぐワッシャー５０がはまるようになっている。このＶ字型の漏れを防ぐワッシャー５０のＶ字口の方向は、継ぎ手３０の収納槽３２の内側に向いている。ジョイント部分４２の中間の環状槽４４にはボール６０が環状にはめ込まれる。もう一つの内側の環状槽４５には、防塵キャップ７０がはめられる。この継ぎ手３０の収納槽３２は、ワンタッチソケット４０のジョイント部分４２に漏れを防ぐワッシャー５０及びボール６０をはめ込むために、径のサイズ及び形態が２段式の槽の径をもつように設計されている。さらに、広い径の部分３４が狭い径の部分３３につながる部分は導入カーブ面３５になっている。同時に、その広い径の部分３４の壁の厚みに関しては、薄くなった薄いカバー片３６を形成している。ワンタッチソケット４０のジョイント部分４２が継ぎ手３０の収納槽３２にはめ込まれた後、機械で継ぎ手３０の薄いカバー片３６をプレスし、ワンタッチソケット４０のジョイント部分４２にはめ込まれたボール６０を覆う形で固定する。最後に、防塵キャップ７０で薄いカバー片３６の外縁を覆えば、継ぎ手３０とワンタッチソケット４０との挿入組み立て部分の隙間が覆われて密封される効果があり、ちりや水等が入り込むことがない。このようにして、本考案のワンタッチソケット構造の実施例の組み合わせ結合が完成する。
【０００９】
次に、図６、図７、図８を参照する。本考案のもう１つの実施例である。継ぎ手３０及びワンタッチソケット４０を組み合わせて形成される。そのうち、継ぎ手３０の一端にはねじ部分３１があって、パイプと接続するようになっている。もう一方の端には、ワンタッチソケット４０のジョイント部分４２を挿入して組み合わせるようになった収納槽３２がある。このワンタッチソケット４０のもう一方の端は、工具の形式に合った差し込み部分４１で、そのジョイント部分４２には３本の環状槽４３、４４、４５があって、そのうち、外側の環状槽４３は別に製造されたＶ字型の漏れを防ぐワッシャー５０がはまるようになっている。このＶ字型の漏れを防ぐワッシャー５０のＶ字口の方向は、継ぎ手３０の収納槽３２の内側に向いている。ジョイント部分４２の中間の環状槽４４にはボール６０が環状にはめ込まれる。前述の実施例と異なるのは、このボール６０の外縁にもう１つ磨耗に強いワッシャー６１がはめられている点である。こうすることにより、ボール６０が固定され、磨耗を防止する効果がある。ジョイント部分４２の内側の環状槽４５には防塵キャップ７０がはまる。この継ぎ手３０の収納槽３２は、ワンタッチソケット４０のジョイント部分４２に漏れを防ぐワッシャー５０及びボール６０をはめ込むために、径のサイズ及び形態が２段式の槽の径をもつように設計されている。さらに、広い径の部分３４が狭い径の部分３３につながる部分は導入カーブ面３５になっている。同時に、その広い径の部分３４の壁の厚みに関しては、薄くなった薄いカバー片３６を形成している。ワンタッチソケット４０のジョイント部分４２が継ぎ手３０の収納槽３２にはめ込まれた後、機械で継ぎ手３０の薄いカバー片３６をプレスし、ワンタッチソケット４０のジョイント部分４２にはめ込まれたボール６０及びワッシャー６１を覆う形で固定する。最後に、防塵キャップ７０で薄いカバー片３６の外縁を覆えば、継ぎ手３０とワンタッチソケット４０の挿入組み立て部分の隙間が覆われて密封される効果があり、ちりや水等が入り込むことがない。このようにして、本考案のワンタッチソケット構造のもう１つの実施例の組み合わせ結合が完成する。
【００１０】
上述の実施例に示した構造を見れば、継ぎ手３０がワンタッチソケット４０と組み合わさって形成される際、ワンタッチソケット４０が直接継ぎ手３０のねじ部分３１の内側に挿入された後、機械でプレスして覆う形で成型されるため、加工組立作業が簡単である上、薄いカバー片３６が直接ボール６０あるいはワッシャー６１の外縁を覆うため、たとえボールが磨耗しても、ワンタッチソケット４０が継ぎ手３０から脱落するのを効果的に防いで、正常に使用可能な機能を維持することができる。同時に、Ｖ字型の漏れを防ぐワッシャー５０があることで、工具の使用状況下において、その気体、液体の流れる方向がちょうどＶ字型の漏れを防ぐワッシャー５０のＶ字口とは逆になっているため、Ｖ字型の漏れを防ぐワッシャー５０が継ぎ手３０の収納槽３２と、ワンタッチソケット４０のジョイント部分４２とより緊密に接触する。したがって、確実に漏れを防ぐことができ、効果的に同類の製品がもつ多くの問題や欠点を解決することが可能であるため、産業上の利用価値及び実用性が高い。
【００１１】
（考案の効果）
本考案のワンタッチソケットは、組み合わせ構造の設計によって、継ぎ手とワンタッチソケットを結合させて組み合わせる際、簡単に行えるという効果がある。
また、本考案のワンタッチソケットは、組み合わせ構造の設計によって、そのワンタッチソケットのジョイント部分が継ぎ手から脱落することがない。
さらに、本考案のワンタッチソケットは、組み合わせ構造の設計によって、そのワンタッチソケットと継ぎ手の挿入関係において、適切な防塵機能を持たせて、ちりが入り込むことによってその回転のスムーズ性を妨げないようにする効果がある。
【００１２】
（産業上の利用可能性）
本考案のワンタッチソケットは、収納槽があることと槽の口が薄いカバー片になっていることにより、継ぎ手を簡単に押し込むだけで継ぎ手とワンタッチソケットとが接続できる。このため、従来の同様のタイプの製品のように複雑な組立作業により発生する多くの問題や欠点を解決しているので、産業上の利用価値及び実用性が高い。
【図面の簡単な説明】
【００１３】
【図１】従来のワンタッチソケットの構造を示す分解図である。
【図２】従来のワンタッチソケットの構造を示す断面図である。
【図３】本考案の実施例によるワンタッチソケットの構造を示す分解図である。
【図４】本考案の実施例によるワンタッチソケットの構造を示す斜視図である。
【図５】本考案の実施例によるワンタッチソケットの構造を示す断面図である。
【図６】本考案のもう１つの実施例によるワンタッチソケットの構造を示す分解図である。
【図７】本考案のもう１つの実施例によるワンタッチソケットの構造を示す斜視図である。
【図８】本考案のもう１つの実施例によるワンタッチソケットの構造を示す分解図である。
【符号の説明】
【００１４】
１０：ストレート継ぎ手、１１：収納槽、１２：はめ込み槽、２０：ワンタッチソケット、２１：ジョイント部分、２２：環状槽、２３：環状槽、２４：Ｏリング、２５：Ｏリング、２６：環状はめ込み槽、２７：ボール受け、２８：ボール、３０：継ぎ手、３１：ねじ部分、３２：収納槽、３３：狭い径の部分、３４：広い径の部分、３５：導入カーブ面、３６：薄いカバー片、４０：ワンタッチソケット、４１：差し込み部分、４２：ジョイント部分、４３：環状槽、４４：環状槽、４５：環状槽、５０：漏れを防ぐワッシャー、６０：ボール、６１：ワッシャー、７０：防塵キャップ
【図１】
0003129021.tif 000003
【図２】
0003129021.tif 000004
【図３】
0003129021.tif 000005
【図４】
0003129021.tif 000006
【図５】
0003129021.tif 000007
【図６】
0003129021.tif 000008
【図７】
0003129021.tif 000009
【図８】
0003129021.tif 000010